(57)【要約】【課題】非使用時の装身具などの小物を手軽に保持させることができるとともに、小物の保管と室内の装飾とを両立させることができるぬいぐるみ型小物ホルダースタンドを提供する。【解決手段】小物ホルダースタンド１００は、ホルダー本体部１０１と保持部１１１，１１２，１１３，１１４とで構成されている。ホルダー本体部１０１は、外皮材１０２の中にクッション材を内包することによりイヌの外観を模した所謂イヌのぬいぐるみである。保持部１１１は、指輪１２１を保持するための袋状部分であり、ホルダー本体部１０１が模すイヌの口として形成されている。保持部１１２，１１３は、イヤリング１２２およびピアス１２３を保持するための部分であり、ホルダー本体部１０１が模すイヌの左耳部分および右耳部分にそれぞれ形成されている。保持部１１４は、ブレスレット１２４を保持するための部分であり、ホルダー本体部１０１が模すイヌの首として形成されている。【選択図】  図２
0003163642.tif 000002
【実用新案登録請求の範囲】
【請求項１】
弾力性のあるクッション材をシート状の外皮材で包んで周囲を縫合することにより、人間、動物またはキャラクタの外観を模した形状に形成したホルダー本体部と、
前記ホルダー本体部の表面に被保持物となる小物を露出させた状態で保持可能な保持部とを備えたことを特徴とするぬいぐるみ型小物ホルダースタンド。
【請求項２】
請求項１に記載したぬいぐるみ型小物ホルダースタンドにおいて、
前記保持部は、前記ホルダー本体部が模す前記人間、動物またはキャラクタを象徴する身体的特徴部分に形成されることを特徴とするぬいぐるみ型小物ホルダースタンド。
【請求項３】
請求項１または請求項２に記載したぬいぐるみ型小物ホルダースタンドにおいて、
前記小物は、装身具であり、
前記保持部は、前記装身具の装身位置に対応する前記人間、動物またはキャラクタにおける身体部分に設けられることを特徴とするぬいぐるみ型小物ホルダースタンド。
【請求項４】
請求項１ないし請求項３のうちのいずれか１つに記載したぬいぐるみ型小物ホルダースタンドにおいて、
前記保持部は、同保持部の内側面を構成する内皮材が前記小物に損傷を与えない素材で構成されていることを特徴とするぬいぐるみ型小物ホルダースタンド。
【請求項５】
請求項１ないし請求項４のうちのいずれか１つに記載したぬいぐるみ型小物ホルダースタンドにおいて、
前記保持部は、前記小物として指輪、イヤリング、ピアス、ネックレス、ペンダント、ブローチ、ブレスレット、かんざし、ＵＳＢメモリ、印鑑およびリップスティックのうちの少なくとも１つが保持可能であることを特徴とするぬいぐるみ型小物ホルダースタンド。
【考案の詳細な説明】
【技術分野】
【０００１】
本考案は、主として、装身具、化粧品およびＵＳＢメモリなどの小物を使用しない非使用時において、これらの小物を保持するぬいぐるみ型の小物ホルダースタンドに関する。
【背景技術】
【０００２】
従来から、装身具（例えば、指輪、イヤリング、ピアス、ネックレス、ブローチ、ブレスレットおよびかんざし）、化粧品（リップスティックやマスカラ）、ＵＳＢメモリおよび印鑑などの小物の保管は、タンス、机または化粧台などの家具の引き出し（抽斗）内に直接、または専用の保管ケース（例えば、ジュエリーケース）を介して収納されている。
【０００３】
しかしながら、日常的に使用する小物においては、引き出しや専用の保管ケースへの収納や取り出し作業が面倒に感じられることが多く、実際には、手近な台、棚または机上に放置されることも少なくない。このため、これらの小物が放置された室内の乱雑感が増すとともに、放置した小物を紛失することが生じるという問題があった。また、これらの小物のうち、装身具は、身体などの被装着体を装飾するためのものであるため、引き出しやジュエリーケース内に収納された保管時においては、装身具の有する装飾機能が発揮されず、その機能が十分に活かされていないという問題があった。
【０００４】
本考案は上記問題に対処するためなされたもので、その目的は、非使用時の小物を手軽に保持させることができるとともに、小物の保管と室内の装飾とを両立させることができるぬいぐるみ型小物ホルダースタンドを提供することにある。
【０００５】
なお、下記特許文献１には、貴金属を収納可能な人間または動物を模ったぬいぐるみ型の収納ケースが開示されている。しかしながら、下記特許文献１に開示されたぬいぐるみ型の収納ケースは、ぬいぐるみの内部に貴金属を収納して開口部を縫合することにより、貴金属を長期間に亘って保管するためのものである。このため、下記特許文献１に記載されたぬいぐるみ型の収納ケースにおいては、非使用時の装身具を手軽に保持するとともに、装身具の保管と室内の装飾とを両立させることができないものである。
【先行技術文献】
【特許文献】
【０００６】
【特許文献１】実用新案登録第３０８７３３６号公報
【考案の概要】
【０００７】
上記目的を達成するため、請求項１に係る本考案の特徴は、弾力性のあるクッション材をシート状の外皮材で包んで周囲を縫合することにより、人間、動物またはキャラクタの外観を模した形状に形成したホルダー本体部と、ホルダー本体部の表面に被保持物となる小物を露出させた状態で保持可能な保持部とを備えたことにある。
【０００８】  この場合、人間としては、著名人、歴史上の偉人または特別な衣装（例えば、歴史上の衣装や職業上の衣装）を纏った人物などが考えられる。また、動物としては、愛玩動物（イヌ、ネコ、小鳥、ねずみなど）、干支、各種野生動物（ライオン、カバ、キリン、コアラ、ラッコ、イルカ、クジラ、カメなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、キャラクタとしては、アニメ、童話、昔話などの主人公、および擬人化した動植物（例えば、（公序良俗違反につき、不掲載）など）などが考えられる。そして、ホルダー本体部は、これらの人間、動物およびキャラクタを単体でまたはこれらを組み合わせたデザインで構成することができる。
【０００９】
また、この場合、前記ぬいぐるみ型小物ホルダースタンドにおいて、保持部は、小物として指輪、イヤリング、ピアス、ネックレス、ペンダント、ブローチ、ブレスレット、かんざし、ＵＳＢメモリ、印鑑およびリップスティックのうちの少なくとも１つが保持可能であるとよい。また、これらの他に、保持部が保持する小物として、マスカラなどの化粧品、消しゴムやスティックのりなどの文房具、印鑑、数珠、鍵および扇子など日常的に使用する小物がある。
【００１０】
このように構成した請求項１に係る本考案の特徴によれば、ぬいぐるみ型小物ホルダースタンドは、人間、動物またはキャラクタの外観を模した形状に形成したホルダー本体部の表面に小物を露出させた状態で保持可能な保持部を備えて構成されている。したがって、使用者は、ぬいぐるみ型小物ホルダースタンドを手近な台、棚または机などに置いておくことで非使用状態の小物を手軽に保持させることができる。これにより、小物によって装飾されたぬいぐるみ型小物ホルダースタンドによって室内を装飾しながら小物を保管することができる。
【００１１】
また、請求項２に係る本考案の他の特徴は、前記ぬいぐるみ型小物ホルダースタンドにおいて、保持部は、ホルダー本体部が模す人間、動物またはキャラクタを象徴する身体的特徴部分に形成されることにある。
【００１２】
このように構成した請求項２に係る本考案の他の特徴によれば、ぬいぐるみ型小物ホルダースタンドは、保持部が人間、動物またはキャラクタを象徴する身体的特徴部分、換言すれば、その身体的特徴部分のみを見たとき、特定の人間、動物またはキャラクタを想起できる部分に形成されている。例えば、ホルダー本体部がイヌの外観を模して形成されている場合には、そのイヌの口、耳、頭または尻尾などの部分に保持部が形成される。これにより、小物を保持したぬいぐるみ型小物ホルダースタンドの可愛さが増し、より親しみを持って使用することができる。
【００１３】
また、請求項３に係る本考案の他の特徴は、前記ぬいぐるみ型小物ホルダースタンドにおいて、前記小物は、装身具であり、保持部は、装身具の装身位置に対応する人間、動物またはキャラクタにおける身体部分に設けられることにある。
【００１４】
このように構成した請求項３に係る本考案の他の特徴によれば、ぬいぐるみ型小物ホルダースタンドは、保持部が装身具の装身位置に対応する人間、動物またはキャラクタにおける身体部分に設けられている。例えば、ホルダー本体部がイヌの外観を模して形成されている場合には、そのイヌの耳の部分にイヤリングを装着可能な保持を設けるようにする。これにより、装身具を装着したぬいぐるみ型小物ホルダースタンドの可愛さが増し、より親しみを持って使用することができる。
【００１５】
また、請求項４に係る本考案の他の特徴は、前記ぬいぐるみ型小物ホルダースタンドにおいて、保持部は、同保持部の内側面を構成する内皮材が小物に損傷を与えない素材で構成されていることにある。
【００１６】
このように構成した請求項４に係る本考案の他の特徴によれば、ぬいぐるみ型小物ホルダースタンドは、保持部が同保持部の内側面を構成する内皮材が小物に損傷を与えない素材、例えば、布素材、革素材または樹脂素材で構成されている。これにより、保持部は、保持部内に保持する小物を損傷することなく保持することができる。
【図面の簡単な説明】
【００１７】
【図１】本考案の一実施形態に係るぬいぐるみ型小物ホルダースタンドの外観構成を概略的に示す斜視図である。
【図２】図１に示すぬいぐるみ型小物ホルダースタンドに装身具を保持させた使用状態を前方から見た斜視図である。
【図３】図１に示すぬいぐるみ型小物ホルダースタンドに装身具を保持させた使用状態を後方から見た斜視図である。
【図４】本考案の変形例に係るぬいぐるみ型小物ホルダースタンドの外観構成を概略的に示す斜視図である。
【考案を実施するための形態】
【００１８】
以下、本考案に係るぬいぐるみ型小物ホルダースタンドの一実施形態について図面を参照しながら説明する。図１は、本考案に係る小物ホルダースタンド１００の外観構成を概略的に示す前方斜視図である。図２は、本考案に係る小物ホルダースタンド１００に装身具を保持させた状態を概略的に示す前方斜視図である。図３は、本考案に係る小物ホルダースタンド１００に装身具を保持させた状態を概略的に示す後方斜視図である。なお、本明細書において参照する各図は、本考案の理解を容易にするために一部の構成要素を誇張して表わすなど模式的に表している。このため、各構成要素間の寸法や比率などは異なっていることがある。本実施形態に係る小物ホルダースタンド１００は、小物として、主として指輪、イヤリング、ピアスおよびブレスレットなどの装身具を保持してこれらを保管または室内装飾として用いることができるものである。
【００１９】
（小物ホルダースタンド１００の構成）
小物ホルダースタンド１００は、主として、ホルダー本体部１０１と同ホルダー本体部１０１に形成された保持部１１１，１１２，１１３，１１４とで構成されている。ホルダー本体部１０１は、外皮材１０２の中に図示しないクッション材を包み込んで縫合することによりイヌの外観を模した立体形状で構成された所謂イヌのぬいぐるみである。
【００２０】
ホルダー本体部１０１内に内包されるクッション材は、ホルダー本体部１０１に立体感を生じさせる弾力性のある充填物である。本実施形態においては、クッション材は、弾力性のあるポリエステル製の綿素材で構成されている。このクッション材は、イヌ型に成形されたホルダー本体部１０１内において、イヌの口部分から尾部分に掛けて充填されている。なお、クッション材は、弾力性のある素材で構成されていればよく、ポリエステル製の綿素材以外の素材、例えば、スポンジ、ウレタン、低反発素材、樹脂製ビーズなどで構成することもできる。
【００２１】
クッション材を包む外皮材１０２は、ホルダー本体部１０１の外側表面を構成するシート状の部材である。本実施形態においては、外皮材１０２は、毛皮状素材、例えば、ファー、ボア、パイル、モヘアまたはシールなどで構成されている。
【００２２】
このホルダー本体部１０１の表面には、４つの保持部１１１，１１２，１１３，１１４がそれぞれ形成されている。これらの保持部１１１，１１２，１１３，１１４は、小物ホルダースタンド１００の保持対象となる小物としての４つの装身具、具体的には、指輪１２１、イヤリング１２２、ピアス１２３およびブレスレット１２４をそれぞれ保持する部分である。
【００２３】
これらのうち、保持部１１１は、指輪１２１を保持するための部分であり、ホルダー本体部１０１が模すイヌの口として形成されている。この保持部１１１は、ホルダー本体部１０１が模すイヌの頭部前面に開口するとともに同ホルダー本体部１０１の内部に向って形成された袋体１１１ａで構成されている。この場合、保持部１１１を構成する袋体１１１ａは、指輪１２１の一部を収納可能な大きさ、換言すれば、イヌが指輪１２１の一部を銜えることができる大きさに形成されている。また、この袋体１１１ａの内側面を構成する内皮材は、指輪１２１に損傷を与えない柔軟で柔らかい素材、例えば、ポリエステル製の超極細繊維で形成された布素材で構成されている。
【００２４】
保持部１１２，１１３は、イヤリング１２２およびピアス１２３を保持するための部分であり、ホルダー本体部１０１が模すイヌの右耳部分（図示左側）および左耳部分（図示右側）にそれぞれ形成されている。これらの保持部１１２，１１３は、ホルダー本体部１０１における図示左側の耳部分および図示右側の耳部分の表面にそれぞれ開口するとともに同各耳の内部に向って形成された袋体１１２ａ，１１３ａと、同各袋体１１２ａ，１１３ａの周囲に配置されたウレタン性の板状体（図示せず）によってそれぞれ構成されている。
【００２５】
そして、この場合、保持部１１２，１１３を構成する各袋体１１２ａ，１１３ａは、イヤリング１２２の一部を収納可能な大きさにそれぞれ形成されている。また、これらの各袋体１１２ａ，１１３ａの内側面をそれぞれ構成する内皮材は、イヤリング１２２に損傷を与えない柔軟で柔らかい素材、例えば、ポリエステル製の超極細繊維で形成された布素材でそれぞれ構成されている。また、保持部１１２を構成する各ウレタン性の板状体は、ピアス１２３の針部を貫通させた状態で保持可能な大きさおよび厚さで構成されている。
【００２６】
保持部１１４は、ブレスレット１２４を保持するための部分であり、ホルダー本体部１０１が模すイヌの首として形成されている。この保持部１１４は、ホルダー本体部１０１が模すイヌの頭部と胴体部とを繋ぐ括れた形状で構成されている。この場合、保持部１１４を構成する括れた形状は、ブレスレット１２４を巻き付けることができる太さおよび長さで形成されている。
【００２７】
（小物ホルダースタンド１００の作動）
次に、このように構成された小物ホルダースタンド１００の作動について説明する。まず、小物ホルダースタンド１００の使用者は、小物ホルダースタンド１００および指輪１２１、イヤリング１２２、ピアス１２３およびブレスレット１２４をそれぞれ用意する。次に、使用者は、身体から外した状態の指輪１２１、イヤリング１２２、ピアス１２３およびブレスレット１２４を小物ホルダースタンド１００に保持させる。
【００２８】
具体的には、使用者は、指輪１２１を小物ホルダースタンド１００に保持させる場合には、指輪１２１のリング部分を保持部１１１内に挿入する。これにより、小物ホルダースタンド１００は、ホルダー本体部１０１が模したイヌが指輪１２１を銜えた状態で同指輪１２１を保持する。この場合、保持部１１１は、保持部１１１の袋体１１１ａを構成する内皮材が指輪１２１に損傷を与えない柔軟で柔らかい素材で構成されているため、指輪１２１を損傷させることなく保持することができる。
【００２９】
また、使用者は、イヤリング１２２を小物ホルダースタンド１００に保持させる場合には、イヤリング１２２のリング部分を保持部１１２または保持部１１３内に挿入する。本実施形態においては、イヤリング１２２を保持部１１２内に挿入する。これにより、小物ホルダースタンド１００は、ホルダー本体部１０１が模したイヌが図示左側の耳部にイヤリング１２２を装着したような状態で保持する。この場合、保持部１１２は、保持部１１２の袋体１１２ａを構成する内皮材がイヤリング１２２に損傷を与えない柔軟で柔らかい素材で構成されているため、イヤリング１２２を損傷させることなく保持することができる。
【００３０】
また、使用者は、ピアス１２３を小物ホルダースタンド１００に保持させる場合には、ピアス１２３の針部１２３ａを保持部１１２または保持部１１３内に貫通させて装着する。本実施形態においては、ピアス１２３を保持部１１３に装着する。この場合、ピアス１２３は、ピアス１２３の針部１２３ａが保持部１１３の内部に設けられたウレタン製の板状体を貫通しているため安定的に保持される。これにより、小物ホルダースタンド１００は、ホルダー本体部１０１が模したイヌが図示右側の耳部にピアス１２３を装着したような状態で保持する。
【００３１】
また、使用者は、ブレスレット１２４を小物ホルダースタンド１００に保持させる場合には、ブレスレット１２４を保持部１１４に巻き付けるように掛けて装着する。これにより、小物ホルダースタンド１００は、ホルダー本体部１０１が模したイヌが首部にブレスレット１２４を掛けたような状態で保持する。
【００３２】
これらにより、身体から外された指輪１２１、イヤリング１２２、ピアス１２３およびブレスレット１２４が小物ホルダースタンド１００にそれぞれ保持される。これらの場合、指輪１２１、イヤリング１２２、ピアス１２３およびブレスレット１２４は、小物ホルダースタンド１００が模したイヌを装飾しつつ保持される。これにより、小物ホルダースタンド１００が配置された室内を、指輪１２１、イヤリング１２２、ピアス１２３およびブレスレット１２４で装飾された小物ホルダースタンド１００によって装飾することができる。これらにより、使用者においては、小物ホルダースタンド１００を積極的に使用する動機づけとなって非使用時における指輪１２１、イヤリング１２２、ピアス１２３およびブレスレット１２４などの装身具が放置されることが抑制される。
【００３３】
そして、小物ホルダースタンド１００に保持させた指輪１２１、イヤリング１２２、ピアス１２３およびブレスレット１２４を装身具として使用する際には、使用者は、小物ホルダースタンド１００に保持させた指輪１２１、イヤリング１２２、ピアス１２３およびブレスレット１２４をそれぞれ小物ホルダースタンド１００から取り外す。これにより、使用者は、指輪１２１、イヤリング１２２、ピアス１２３およびブレスレット１２４を装身具として使用することができる。
【００３４】
上記作動説明からも理解できるように、上記実施形態によれば、ぬいぐるみ型の小物ホルダースタンド１００は、イヌの外観を模した形状に形成したホルダー本体部１０１の表面に装身具を露出させた状態で保持可能な保持部１１１，１１２，１１３，１１４をそれぞれ備えて構成されている。したがって、使用者は、小物ホルダースタンド１００を手近な台、棚または机などに置いておくことで身体から外した装身具を手軽に保持させることができる。これにより、装身具によって装飾された小物ホルダースタンド１００によって室内を装飾しながら装身具を保管することができる。
【００３５】
さらに、本考案の実施にあたっては、上記実施形態に限定されるものではなく、本考案の目的を逸脱しない限りにおいて種々の変更が可能である。なお、下記変形例において、上記実施形態と同様の構成部分に同じ符号を付して、その説明は省略する。
【００３６】
例えば、上記実施形態においては、ホルダー本体部１０１を構成する外皮材１０２は、毛皮状素材で構成されている。しかし、ホルダー本体部１０１を構成する外皮材１０２は、ホルダー本体部１０１が模す対象物の外観、ホルダー本体部１０１自体の強度仕様などにより適宜選定されるものであり、必ずしも上記実施形態に限定されるものではない。例えば、外皮材１０２は、天然繊維および／または化学繊維などからなる織物、編物、フェルト、不織布などの布素材で構成することができる。また、外皮材１０２は、布素材以外の素材、例えば、革素材および樹脂素材（例えば、塩ビ製シート）で構成することもできる。これらの場合、外皮材１０２の表面に耐候性や耐水性を向上させるための加工を施したり薬剤を塗布したりすることにより外皮材１０２の耐久性を向上させることができる。
【００３７】
また、上記実施形態においては、保持部１１１，１１２，１１３の袋体１１１ａ，１１２ａ，１１３ａを構成する内皮材は、超極細繊維で形成された布素材で構成されている。しかし、これらの袋体１１１ａ，１１２ａ，１１３ａを構成する内皮材は、保持部１１１，１１２，１１３が保持する装身具に損傷を与えない柔軟で柔らかな素材であれば、必ずしも上記実施形態に限定されるものではない。例えば、これらの袋体１１１ａ，１１２ａ，１１３ａを構成する内皮材は、天然繊維および／または化学繊維などからなる織物、編物、フェルト、不織布などの布素材で構成することができる。また、同内皮材は、布素材以外の素材、例えば、革素材および樹脂素材（例えば、塩ビシート）で構成することもできる。
【００３８】
また、上記実施形態においては、小物ホルダースタンド１００は、ホルダー本体部１０１をイヌの外観に模して構成した。しかし、ホルダー本体部１０１の外形は、使用者の好みに応じて適宜決定されるものであり、必ずしもイヌ型に成型する必要はない。すなわち、ホルダー本体部１０１は、例えば、人間、動物またはキャラクタの外形を模した形状に成形することができる。
【００３９】  この場合、人間としては、著名人、歴史上の偉人または特別な衣装（例えば、歴史上の衣装や職業上の衣装）を纏った人物などが考えられる。また、動物としては、例えば、愛玩動物（イヌ、ネコ、小鳥、ねずみなど）、干支、各種野生動物（ライオン、カバ、キリン、コアラ、ラッコ、イルカ、クジラなど）、魚類（サメ、クマノミ、イカ、タコなど）、貝類（帆立貝、サザエなど）、昆虫（カブトムシ、クワガタムシ、カマキリ、セミなど）および龍や鳳凰などの架空の動物などが考えられる。また、キャラクタとしては、例えば、アニメ、童話、昔話などの主人公および擬人化した動植物（例えば、（公序良俗違反につき、不掲載）など）が考えられる。そして、ホルダー本体部１０１は、これらの人間、動物およびキャラクタを単体でまたはこれらを組み合わせたデザインで構成することができる。
【００４０】
また、これらの場合、装身具を保持する保持部１１１，１１２，１１３，１１４は、前記人間、動物またはキャラクタにおける同人間、動物またはキャラクタを象徴する身体的特徴部分に形成するとよい。ここで身体的特徴部分は、その身体的特徴部分のみを見たとき、特定の人間、動物またはキャラクタを想起できる部分であって、例えば、ライオンにおける鬣（たてがみ）や牙、キリンにおける首や角、カメにおける甲羅や頭部、クジラにおける口、ヒレまたは潮吹き穴、サイにおける角や牙などがそれぞれ身体的特徴部分に相当する。これにより、装身具を装着した小物ホルダースタンド１００の可愛さが増し、より親しみを持って使用することができる。
【００４１】
また、上記実施形態においては、小物ホルダースタンド１００における保持部１１２，１１３は、イヤリング１２２およびピアス１２３を保持するように構成した。すなわち、小物ホルダースタンド１００は、人間におけるイヤリング１２２およびピアス１２３の装着位置である耳部に対応する部分であるイヌの耳部に保持部１１２，１１３を設けている。これにより、装身具を装着した小物ホルダースタンド１００の可愛さが増し、より親しみを持って使用することができる。しかし、保持部１１２，１１３のホルダー本体部１０１上での形成位置は、保持する装身具の装着位置に必ずしも対応させる必要はない。例えば、指輪１２１を保持する保持部１１１のように、指輪１２１の通常の装着位置である指とは無関係の口部や尻尾などに保持部１１１を形成することができる。
【００４２】
また、上記実施形態においては、小物ホルダースタンド１００における保持部１１１，１１２，１１３は、指輪１２１およびイヤリング１２２を収納可能とするために袋体１１１ａ，１１２ａ，１１３ａで構成した。しかし、保持部１１１，１１２，１１３は、装身具の形態に応じて装身具を保持可能に構成されていれば、上記実施形態に限定されるものではない。例えば、図４に示すように、保持部１１２，１１３を図示しないウレタン製の板状体や綿材をホルダー本体部１０１の外皮材で包んだ片状（通常のイヌの耳部の形状）に構成して袋体１１２ａ，１１３ａを省略してもよい。これによれば、保持部１１２，１１３はピアス１２３を保持することができるとともに、イヤリング１２２内に保持部１１２，１１３を通すことで同イヤリング１２２を保持することもできる。
【００４３】
また、保持部１１２，１１３は、どちらか一方を袋体１１２ａ，１１３ａを備えて構成しつつ他方を袋体１１２ａ，１１３ａのない片状に構成することもできる。例えば、図４において二点鎖線（想像線）で示すように、ホルダー本体部１０１における図示左側の耳部に袋体１１２ａを備えた保持部１１２を形成するとともに、図示右側の耳部に袋体１１３ａを省略した片状の保持部１１３を形成して構成することができる。
【００４４】
また、上記実施形態においては、小物ホルダースタンド１００は、指輪１２１、イヤリング１２２、ピアス１２３およびブレスレッド１２４を保持するように構成した。しかし、小物ホルダースタンド１００が保持する装身具は、使用者の好みに応じて適宜決定されればよい。すなわち、装身具は、指輪１２１、イヤリング１２２、ピアス１２３およびブレスレッド１２４以外の装身具、例えば、ネックレス、ペンダント、アームバンド、アンクレット、ティアラ、ネクタイピンおよびかんざしなどであってもよい。また、さらに、小物ホルダースタンド１００は、装身具以外の小物、例えば、リップスティックやマスカラなどの化粧品、消しゴムやスティックのりなどの文房具、ＵＳＢメモリ、印鑑、数珠、扇子および鍵など主として日常生活で使用する小物を保持するように構成することができる。この場合、保持体１１１，１１２，１１３，１１４は、被保持物となる小物に応じた大きさ形状に形成されることは当然である。例えば、保持部１１１にＵＳＢメモリ、リップスティックまたは印鑑などの棒状小物を保持させる場合には、保持部１１１をＵＳＢメモリ、リップスティックまたは印鑑などの棒状小物を保持可能な開口部および深さ（奥行）の袋体１１１ａで構成する。
【符号の説明】
【００４５】
１００…小物ホルダースタンド、１０１…ホルダー本体部、１０２…外皮材、
１１１，１１２，１１３，１１４…保持部、１１１ａ，１１２ａ，１１３ａ…袋体、
１２１…指輪、１２２…イヤリング、１２３…ピアス、１２４…ブレスレッド。
【図１】
0003163642.tif 000003
【図２】
0003163642.tif 000004
【図３】
0003163642.tif 000005
【図４】
0003163642.tif 000006